(57)【要約】
【課題】
室内を清浄に保ち、使用者は油煙にさらされることがないため、健康への悪影響を払拭する油煙吸引除去器を提供する。
【解決手段】
油煙吸引除去器において、主に固定台を設置し、該固定台は一組の連結部品を設置し、該連結部品の下方に鍋蓋を設置する。該鍋蓋上にハンドルを設置し、該鍋蓋上には穿孔を設置し、該穿孔上に排煙チューブを設置する。該排煙チューブの反対端にろ過ボックス、吸気モーターを設置し、該吸気モーターは電源コードにより制御スイッチを設置し、該吸気モーターの反対端に排気管を設置する。該固定台、該ろ過ボックス、該吸気モーターを壁面に固定し、該鍋蓋を吊り下げ使用する。該鍋蓋は調理する鍋体の上方に移動させ、或いは直接鍋体上に蓋合することにより、調理時に発生する油煙を完全に吸引除去することができる。
【選択図】図1
0003100605.tif 000002
【実用新案登録請求の範囲】
【請求項１】
主に固定台を設置し、
該固定台は一組の連結部品を可動設置し、該連結部品の下方には透明の鍋蓋を設置し、該透明の鍋蓋上には断熱素材のハンドルを設置し、該鍋蓋上には穿孔を設置し、該穿孔上には排煙チューブを設置し、該排煙チューブの反対端にはろ過ボックス及び吸気モーターを設置し、該吸気モーターは電源コードにより制御スイッチを設置し、該吸気モーターの反対端には排気管を設置し、
こうして固定台、ろ過ボックス、吸気モーターを壁面上に固定し、該鍋蓋を吊り下げ使用することができ、該鍋蓋は調理する鍋体の上方に引き移動させ、或いは直接鍋体上に蓋合し、
調理時に発生する油煙を完全に吸引除去することができ、室内を清浄に保つことができるため、使用者は油煙にさらされることがなくなり、健康への悪影響を免れ、しかも使用が非常に便利であることを特徴とする油煙吸引除去器。
【請求項２】
前記連結部品は回転アームを設置し、該回転アームの一端は前記固定台上に可動設置し、反対端には回転ピボットを設置し、該回転ピボットの下方には連結バーを接続し、該連結バーの一端にはサポートバーを接続し、該サポートバーの下方には透明の鍋蓋を設置し、前記連結部品の設置により必要に応じて鍋蓋の位置を任意に調整可能であることを特徴とする請求項１記載の油煙吸引除去器。
【請求項３】
前記鍋蓋上には開口部を開設し、該開口部上には開け口を可動設置し、該開け口上には取っ手を設置することを特徴とする請求項１記載の油煙吸引除去器。
【請求項４】
前記排煙チューブの反対端にはろ過ボックス片側に接続する吸風口を設置し、該ろ過ボックスの反対側には出風口を設置し、該ろ過ボックスの出風口は吸気管を接続し、該吸気管の反対端には吸気モーターを接続することを特徴とする請求項１記載の油煙吸引除去器。
【考案の詳細な説明】
【技術分野】
【０００１】
本考案は一種の油煙吸引除去器に関する。特に一種の調理時に発生する油煙を確実に完全に吸入し除去し、室内を清浄に保ち、使用者が油煙にさらされることがなくなり健康を守ることができる非常に便利な油煙吸引除去器に係る。
【背景技術】
【０００２】
一般家庭の台所で調理する時に発生する油煙は、四方へと発散し、室内に油煙の匂いが充満する。しかも、油煙は壁、家具、室内の各物品に容易に付着し、また拭き取りにくい。
さらに、医学レポートによれば、油煙は人体に重大な悪影響を及ぼすことが知られている。長期間油煙を吸い込むと肺機能に影響が及び、肺癌を引起す恐れさえあり、健康に対する影響は非常に大きい。そのため、調理時に発生する油煙の多くは台所の壁面に設置した油煙吸引除去器により吸入し除去する。
しかし、一般に、油煙吸引除去器は壁面に固定され(特許文献１、２)、油煙吸引除去器とガスコンロ、及び鍋は一定の距離を隔てる。即ち、固定式であるため使用者が任意に油煙吸引除去器の設置高度及び位置を調整することはできず、発生する油煙を完全に吸い込み排出することはできない。即ち、油煙を排気する効果には限度がある。
【特許文献１】特開平１１−２５７７０３号公報
【特許文献２】特開２００３−９０５７９号公報
【考案の開示】
【考案が解決しようとする課題】
【０００３】
上記公知構造の欠点を解決するため、本考案は、調理時に発生する油煙を確実に吸入し、除去することができる油煙吸引除去器の提供を課題とする。
【課題を解決するための手段】
【０００４】
上記課題を解決するため、請求項１の考案は、主に固定台を設置し、該固定台は一組の連結部品を可動設置し、該連結部品の下方には透明の鍋蓋を設置し、該透明の鍋蓋上には断熱素材のハンドルを設置し、該鍋蓋上には穿孔を設置し、該穿孔上には排煙チューブを設置し、該排煙チューブの反対端にはろ過ボックス及び吸気モーターを設置し、該吸気モーターは電源コードにより制御スイッチを設置し、該吸気モーターの反対端には排気管を設置し、こうして固定台、ろ過ボックス、吸気モーターを壁面上に固定し、該鍋蓋を吊り下げ使用することができ、該鍋蓋は調理する鍋体の上方に引き移動させ、或いは直接鍋体上に蓋合し、調理時に発生する油煙を完全に吸引除去することができ、室内を清浄に保つことができるため、使用者は油煙にさらされることがなくなり、健康への悪影響を免れ、しかも使用が非常に便利であることを特徴とする油煙吸引除去器である。
【０００５】
請求項２の考案は、前記連結部品は回転アームを設置し、該回転アームの一端は前記固定台上に可動設置し、反対端には回転ピボットを設置し、該回転ピボットの下方には連結バーを接続し、該連結バーの一端にはサポートバーを接続し、該サポートバーの下方には透明の鍋蓋を設置し、前記連結部品の設置により必要に応じて鍋蓋の位置を任意に調整可能であることを特徴とする請求項１記載の油煙吸引除去器である。
請求項３の考案は、前記鍋蓋上には開口部を開設し、該開口部上には開け口を可動設置し、該開け口上には取っ手を設置することを特徴とする請求項１記載の油煙吸引除去器である。
請求項４の考案は、前記排煙チューブの反対端にはろ過ボックス片側に接続する吸風口を設置し、該ろ過ボックスの反対側には出風口を設置し、該ろ過ボックスの出風口は吸気管を接続し、該吸気管の反対端には吸気モーターを接続することを特徴とする請求項１記載の油煙吸引除去器である。
すなわち、本考案は、主に固定台を設置し、該固定台は一組の連結部品を可動設置し、該連結部品の下方には透明の鍋蓋を設置する。該透明の鍋蓋上にはハンドルを設置し、該鍋蓋上には穿孔を設置し、該穿孔上には排煙チューブを設置する。該排煙チューブの反対端にはろ過ボックス及び吸気モーターを設置し、該吸気モーターは電源コードにより制御スイッチを設置し、該吸気モーターの反対端には排気管を設置した油煙吸引除去器である。
【考案の効果】
【０００６】
上記のように、本考案は組立て、使用共に非常に便利で、油煙吸引除去器をガスコンロを設置する場所の壁面に設置し、鍋蓋の前、後、高、低位置を任意に調整することにより、鍋の大きさ、調理の方式に対応し使用することができる。また、調理時に発生する油煙を完全に吸引除去することができ、室内を清浄に保つことができるため、使用者は油煙にさらされることがなくなり、健康への悪影響を払拭することができる。さらに、本考案の鍋蓋は使用しない時には上に上げ壁面に寄せ収納することができ、収納空間を節減することができる。
【考案を実施するための最良の形態】
【０００７】
本考案の好適な実施例を、図に沿って説明する。図１に示すように、本考案の実施例は、主に固定台１を設置する。該固定台１は一組の連結部品２を可動設置し、該連結部品２には回転アーム２１を設置する。該回転アーム２１の一端には回転ピボット２２を設置し、該回転ピボット２２の下方には連結バー２３を接続する。該連結バー２３の一端にはサポートバー２４を接続し、該サポートバー２４の下方には透明の鍋蓋３を設置する。
該透明の鍋蓋３上には断熱素材のハンドル３０を設置し、該鍋蓋３上には開口部３１を開設する。該開口部３１上には開け口３２を可動設置し、該開け口３２上には取っ手３３を設置する。該鍋蓋３上には穿孔３４を設置し、該穿孔３４上には排煙チューブ４を設置する。該排煙チューブ４の反対端にはろ過ボックス５片側に接続する吸風口５０を設置する。該ろ過ボックス５の反対側には出風口５１を設置する。
吸気管４０は該ろ過ボックス５の出風口５１に接続し、該吸気管４０の反対端には吸気モーター６を接続する。該吸気モーター６は電源コード６０により制御スイッチ６１を設置する。該吸気モーター６の反対端には排気管４１を設置する。
こうして、前記固定台１、前記ろ過ボックス５、前記吸気モーター６を壁面に固定し、前記鍋蓋３は吊り下げて使用する。
【０００８】
図１、２に示すように、使用時には使用者は先ずガスコンロ７と鍋対８の設置位置に応じて透明の鍋蓋３の位置を調整する。
該鍋蓋３を移動させたいときには、手で該鍋蓋３上のハンドル３０を持ち移動させるだけで良い。該連結部品２の作動により、該回転アームは該固定台１上において回転し、該回転ピボット２２により該連結バー２３は該回転アーム下方において回転する。しかも、該連結バー２３と該回転ピボット２２は可動接続するため、該連結バー２３もまた上下回転を行う。
こうして、該鍋蓋３を任意に調整し、必要とする位置に移動させることができ(図２、３、４参照)、該鍋蓋３を該鍋体８上方の適当な距離の位置へと調整することができる。
該鍋体８内部で焼く、炒める、揚げるなどの調理を行う時には、先ず必要とする排煙風速を該制御スイッチ６１上のボタンを押し選択し、該吸気モーター６の回転を起動する。こうして、調理時に生じる油煙は該鍋蓋３上の排煙チューブ４により吸引し該ろ過ボックス５内に至りろ過される。さらに、該排気管４１により、ろ過後の気体を排出する。該鍋蓋３は該鍋体８上方に位置し、任意にその距離を調整可能であるため、調理時に発生する油煙は完全に吸引、除去される。
【０００９】
使用者が揚げ物或いは魚を焼く時には、熱い油が跳ね上がるが、この時には使用者は前記鍋蓋３を下へと移動させ、該鍋体８上を被えば良い。図３、４が示すように、熱い油は該鍋体８外に跳ね出すことはなく、発生する油煙は完全に該排煙チューブ４により直接吸引され、該ろ過ボックス５内でろ過され排出される。
該鍋蓋３は透明であるため、該鍋体８内の食物の調理状況は外部より観察することができる。返したい時には、図４が示すように、該鍋蓋３の開け口３２を開け、フライ返しなどを該開け口３２より該鍋体８内に入れ、炒めたり返したりすることができる。炒めにくい時には、該鍋蓋３を上に上げ、該鍋体８から適当な距離だけ離せば良い。
【００１０】
調理完了後、使用しない時には、図５が示すように、使用者は該鍋蓋３を上に上げ、壁面に寄せ、該回転アーム２１を引き壁面へと寄せる。該連結バー２３は上部へと持ち上げ、該回転アームと合体する。こうして、該鍋蓋３は壁面に収納され、場所を取ることはない。
【図面の簡単な説明】
【００１１】
【図１】本考案の実施例の立体図である。
【図２】本考案の実施例の鍋蓋と鍋体に一定の距離がある使用状態の指示図である。
【図３】本考案の実施例の蓋が鍋体上を蓋合する使用状態の指示図である(鍋体とガスコンロを別の角度に置いた指示図)。
【図４】本考案の実施例の蓋が鍋体上を蓋合し、開け口を開けた使用状態の指示図である。
【図５】本考案の実施例の収納指示図である。
【符号の説明】
【００１２】
１  固定台
２  連結部品
２１  回転アーム
２２  回転ピボット
２３  連結バー
２４  サポートバー
３  鍋蓋
３０  ハンドル
３１  開口部
３２  開け口
３３  取っ手
３４  穿孔
４  排煙チューブ
４０  吸気管
４１  排気管
５  ろ過ボックス
５０  吸風口
５１  出風口
６  吸気モーター
６０  電源コード
６１  制御スイッチ
７  ガスコンロ
８  鍋体
【図１】
0003100605.tif 000003
【図２】
0003100605.tif 000004
【図３】
0003100605.tif 000005
【図４】
0003100605.tif 000006
【図５】
0003100605.tif 000007